【手続補正書】
【提出日】平成17年6月10日(2005.6.10)
【手続補正１】
【補正対象書類名】明細書
【補正対象項目名】全文
【補正方法】変更
【補正の内容】
【書類名】  明細書
【発明の名称】  温風暖房機
【特許請求の範囲】
【請求項１】  下部に設けて前方に吹き出す下部吹き出し口と、上部に設けて上方に吹き出す上部吹き出し口と、前記下部吹き出し口と上部吹き出し口との間に位置する吸い込み口と、前記下部吹き出し口に設けた下部風向変更羽根と、前記上部吹き出し口に設けた上部風向変更羽根とからなる風回路と、前記吸い込み口に設けられた熱交換器と、送風機と、前記送風機を駆動する送風機駆動手段と、前記吸い込み口と前記上部吹き出し口との間に設けられた熱交換器バイパス用吸い込み口と、前記熱交換器バイパス用吸い込み口の開閉を行う熱交換器バイパス用吸い込み口開閉手段とを備え、暖房負荷の大小に応じて、前記送風機駆動手段と前記下部風向変更羽根と前記上部風向変更羽根と前記熱交換器バイパス用吸い込み口開閉手段とを制御する制御手段を具備したことを特徴とする温風暖房機。
【請求項２】  下吹き出し暖房を行う場合で、暖房負荷の大きい時には熱交換器バイパス用吸い込み口開閉手段で熱交換器バイパス用吸い込み口を閉じ、暖房負荷の小さい時には熱交換器バイパス用吸い込み口開閉手段で熱交換器バイパス用吸い込み口を開くように制御する制御手段を有する請求項１記載の温風暖房機。
【請求項３】  上吹き出し暖房を行う場合の能力制御時に、熱交換器バイパス用吸い込み口開閉手段で熱交換器バイパス用吸い込み口の開口面積を変化させるように制御する制御手段を有する請求項１記載の温風暖房機。
【請求項４】  上吹き出し暖房を行う場合に室温が設定温度以上になれば、吸い込み口を閉じる吸い込み口開閉手段を有する請求項１記載の温風暖房機。
【請求項５】  室温検知手段、室温設定手段、前記室温検知手段から得られた室温と前記室温設定手段で設定された設定温度とを比較する室温設定比較手段を有し、室温が設定温度近傍よりも低いときには下吹き出し口から温風を吹き出し、設定温度近傍では上吹き出し口から温風を吹き出すように吹き出し口の切り換えを制御する制御手段を有する請求項１項記載の温風暖房機。
【請求項６】  室温検知手段、室温設定手段、前記室温検知手段から得られた室温と前記室温設定手段で設定された設定温度とを比較する室温設定比較手段を有し、暖房の起動時に室温が設定温度よりも低いときには下吹き出し口から温風を吹き出し、室温設定手段で設定された設定温度による運転および停止を所定の回数行った後に、上吹き出し口から温風を吹き出すように吹き出し口切り換え手段を制御する制御手段を有する請求項１記載の温風暖房機。
【請求項７】  床温度検知手段、床温度設定手段、前記床温度検知手段から得られた床温度と前記床温度設定手段で設定された設定温度とを比較する床温度比較手段を有し、床温度が設定温度近傍よりも低いときには下吹き出し口から温風を吹き出し、設定温度近傍では上吹き出し口から温風を吹き出すように吹き出し口の切り換えを制御する制御手段を有する請求項１記載の温風暖房機。
【請求項８】  床付近に設けられた第一の温度検出手段と、天井付近に設けられた第二の温度検出手段と、前記第一の温度検出手段と第二の温度検出手段から得られた温度差を演算する温度差演算器とを備え、さらに、演算された前記温度差が予め設定された設定温度差より大きい場合には下吹き出し口から温風を吹き出すように吹き出し口の切り換えを制御し、演算された前記温度差が予め設定された設定温度差より小さい場合には上吹き出し口から温風を吹き出すように吹き出し口の切り換えを制御する制御手段を有する請求項１記載の温風暖房機。
【請求項９】  暖房運転開始からの時間を積算するタイマと、前記タイマから得られた積算時間と予め設定された設定時間とを比較する時間比較手段とを備え、前記積算時間が前記設定時間以上になれば、上吹き出し口から温風を吹き出すように吹き出し口切り換え手段を制御する制御手段を有する請求項１記載の温風暖房機。
【請求項１０】  上下吹き出し口切り換え選択スイッチを有する請求項１記載の温風暖房機。
【発明の詳細な説明】
【０００１】
【発明の属する技術分野】
本発明は、温風を吹き出して暖房を行う温風暖房機に関するものである。
【０００２】
【従来の技術】
従来のこの種の温風暖房機は図４１に示すようなものが一般的知られている。
【０００３】
以下、その構成について図４１を参照しながら説明する。同図に示すように、シスターン１、ボイラ２、ポンプ３から構成された室外機４は、上方に配置した熱交換器５や下方に配置した送風機６から構成された室内機７と、接続配管８で接続されている。また、前記室内機７の上部には吸い込み口９が、下部には吹き出し口１０が設けらている。１１は室温検出手段を示す。
【０００４】
この温風暖房機の動作を説明すると、室外機４のボイラ２が動作してポンプ３によって室内機７に送られてきた温水の温度が所定の温度以上になれば、送風機６が運転を開始し、室内の空気は上部に設けた吸い込み口９から吸い込まれ、熱交換器５で温水と熱交換して加熱されて温風となって下部に設けられた吹き出し口１０から吹き出される。そして、室温検出手段１１が検出した吸い込み温度が設定温度以上になれば送風機６を停止し、低くなれば送風機６を再運転することによって室内温度を制御している。さらに、能力制御や低騒音化や気流感の防止のために、室温検出手段１１で検出した吸い込み温度と設定温度との差に応じて、強風、弱風、微風というように、吸い込み温度が設定温度に近づくほど風量を小さくしている。
【０００５】
また、上下吹き出しを切り換えるこの種の温風暖房機としては、特公昭６１−３８７７７号公報に記載されているようなものがある。この温風暖房機は図４２に示すように、室内機７の前面には吸い込み口９が形成それ、さらに前面下部と上部には下部吹き出し口１０ａおよび上部吹き出し口１０ｂがそれぞれ形成されている。そして、前記吸い込み口９に対向する位置に熱交換器５が設けられ、さらに、この熱交換器５に対応して送風機６が設けられている。また、下部吹き出し口１０ａ、上部吹き出し口１０ｂにそれぞれ対応して設けられた下部ダンパ１２ａ、上部ダンパ１２ｂは吹き出し口切り換え手段としてのダンパモータ１３で切り換えを行う。
【０００６】
この温風暖房機の動作を説明すると、室内温度が設定温度以下の場合には、ダンパモータ１３が動作して、図４２（ａ）に示すように、下部ダンパ１２ａで下吹き出し口１０ａを開き、上部ダンパ１２ｂで上吹き出し口１０ｂを閉じ、下吹き出し口１０ａから温風を吹き出す。また、室内温度が設定温度以上になり暖房運転中断の場合には、図４２（ｂ）に示すように、ダンパモータ１３が動作して下部ダンパ１２ａで下吹き出し口１０ａを閉じ、上部ダンパ１２ｂで上吹き出し口１０ｂを開き、上吹き出し口１０ｂから風を吹き出す。
【０００７】
上記図４１、図４２に示す従来例の温風暖房機では、室内温度の吸い込み温度が設定温度に近づくほど風量を小さくしていたため、温風はすぐに上昇し、部屋の温度分布が悪いものであった。
【０００８】
また、図４３は室内機７が設置された部屋の空間の斜視図であり、図４４は図４３のＡ面における弱風や微風時の温度分布を示したものである。図４５は図４３のＢ、Ｃ面各面それぞれの、各高さにおいて水平方向の温度の平均を求めて、その分布を示したものである。なお、一点鎖線は部屋全体の平均温度である。両図からわかるように弱風や微風のように風量が小さくなると、温風の温度は高くなり、すぐに上昇し、さらに、吸い込み口９が吹き出し口１０よりも上部にあるため上昇した温風は床面付近に戻ることがないため、温風暖房機の付近や天井近くは温かいがそれ以外の場所の温度が低くなっている。そのため、快適な居住空間が狭く、部屋全体を有効に使えないという問題を有していた。
【０００９】
この課題を解決するために、仮に風量を大きくする（室温が設定温度に近づくと必要暖房能力が小さくなるので風量を大きくすると温水温度を下げるなどして吹き出し温度を下げなければならない）と、気流感や冷風感があり、また、騒音も大きくなるので、快適性が損なわれるという問題がある。
【００１０】
【発明が解決しようとする課題】
前述したように、室内温度の吸い込み温度が設定温度に近づくほど風量を小さくするように制御すると、室温の変動に応じて送風機６の回転数が変化し、それに伴って騒音値も変化するため、耳障りで不快である。
【００１１】
また、室内温度の吸い込み温度が設定温度以上になって送風機６を停止するため、天井付近の温度は余り変化しないが、床面温度は比較的速く温度が下がり、すぐに足元が寒くなる。
【００１２】
また、上記図４２の従来例の温風暖房機の場合も、基本的には図４１の従来例の温風暖房機の場合と同様、風量が小さいと部屋の温度分布が悪くなり、風量が大きいと騒音や気流感や冷風感があるので、快適性が損なわれるという課題がある。そこで本発明は上記する従来例の課題を解決することを目的とするものである。
【００１３】
【課題を解決するための手段】
本発明は上記課題を解決するため、下部に設けて前方に吹き出す下部吹き出し口と、上部に設けて上方に吹き出す上部吹き出し口と、前記下部吹き出し口と上部吹き出し口との間に位置する吸い込み口と、前記下部吹き出し口に設けた下部風向変更羽根と、前記上部吹き出し口に設けた上部風向変更羽根とからなる風回路と、前記吸い込み口に対向して設けられた熱交換器と、送風機と、前記送風機を駆動する送風機駆動手段と、前記吸い込み口と前記上部吹き出し口との間に設けられた熱交換器バイパス用吸い込み口と、前記熱交換器バイパス用吸い込み口の開閉を行う熱交換器バイパス用吸い込み口開閉手段とを備え、さらに、暖房負荷の大小に応じて、前記送風機駆動手段と前記下部風向変更羽根と前記上部風向変更羽根と前記熱交換器バイパス用吸い込み口開閉手段とを制御する制御手段を具備したものである。
【００１４】
上記発明によれば暖房負荷が小さい場合、上吹き出し口から吹き出した比較的低温の温風が、部屋全体に広がるので、部屋の上下温度差が小さく、気流感、冷風感もない、快適な居住空間を得ることができる。
【００１５】
【発明の実施の形態】
本発明は、下部に設けて前方に吹き出す下部吹き出し口と、上部に設けて上方に吹き出す上部吹き出し口と、前記下部吹き出し口と上部吹き出し口との間に位置する吸い込み口と、前記下部吹き出し口に設けた下部風向変更羽根と、前記上部吹き出し口に設けた上部風向変更羽根とからなる風回路と、前記吸い込み口に対向して設けられた熱交換器と、送風機と、前記送風機を駆動する送風機駆動手段と、前記吸い込み口と前記上部吹き出し口との間に設けられた熱交換器バイパス用吸い込み口と、前記熱交換器バイパス用吸い込み口の開閉を行う熱交換器バイパス用吸い込み口開閉手段とを備え、さらに、暖房負荷の大小に応じて、前記送風機駆動手段と前記下部風向変更羽根と前記上部風向変更羽根と前記熱交換器バイパス用吸い込み口開閉手段とを制御する制御手段を設けたものである。
【００１６】
そして、上吹き出し暖房時に上部吹き出し口から吹き出した温風が、天井面に達して全体に広がり、さらに、壁面に沿って降下し床面に達した後、床面に沿って流れ、吸い込み口から吸い込まれるため、部屋の上下温度差が小さく、気流が部屋全体に広がるので気流感、冷風感もなく、快適な居住空間を得ることができる。
【００１７】
また、下吹き出し暖房を行う場合で、暖房負荷の大きい時には熱交換器バイパス用吸い込み口開閉手段で熱交換器バイパス用吸い込み口を閉じ、暖房負荷の小さい時には熱交換器バイパス用吸い込み口開閉手段で熱交換器バイパス用吸い込み口を開くように制御する制御手段を有するものである。
【００１８】
そして、暖房負荷の小さい時には、熱交換器バイパス用吸い込み口から吸い込まれた冷たい空気が熱交換器を通過してきた高温の空気を押さえ込むため、温風が部屋全体に広がるので、部屋の上下温度差が小さく快適な居住空間を得ることができる。
【００１９】
さらに、上吹き出し暖房を行う場合の能力制御時に、熱交換器バイパス用吸い込み口開閉手段で熱交換器バイパス用吸い込み口の開口面積を変化させるように制御する制御手段を有するものである。
【００２０】
そして、熱交換器バイパス用吸い込み口開閉手段で熱交換器を通過する風量を制御できるため、騒音の変動が少ない。
【００２１】
さらに、上吹き出し暖房を行う場合に室温が設定温度以上になれば、吸い込み口を閉じる吸い込み口開閉手段を有するものである。
【００２２】
そして、室温が設定温度に達して暖房を停止している時に、熱交換器バイパス用吸い込み口から吸い込んだ低い温度の温風を吹き出すので、天井面付近に滞留している暖かい空気を床面に押し下げ、さらに、熱交換器バイパス用吸い込み口から吸い込まれるので、暖房停止時にも床面付近の温度が下がらず、快適な居住空間を得ることができる。
【００２３】
さらに、室温検知手段、室温設定手段、前記室温検知手段から得られた室温と前記室温設定手段で設定された設定温度とを比較する室温設定比較手段を有し、室温が設定温度近傍よりも低いときには下吹き出し口から温風を吹き出し、設定温度近傍では上吹き出し口から温風を吹き出すように吹き出し口の切り換えを制御する制御手段を有するものである。
【００２４】
そして、設定温度よりも室温が低いときには下吹き出し口から温風を吹き出し床面や壁面を十分暖めた後、上吹き出し口から温風を吹き出すので、部屋全体を希望した室温に保つことができる。
【００２５】
さらに、室温検知手段、室温設定手段、前記室温検知手段から得られた室温と前記室温設定手段で設定された設定温度とを比較する室温設定比較手段を有し、暖房の起動時に室温が設定温度よりも低いときには下吹き出し口から温風を吹き出し、室温設定手段で設定された設定温度による運転および停止を所定の回数行った後に、上吹き出し口から温風を吹き出すように吹き出し口切り換え手段を制御する制御手段を有するものである。
【００２６】
そして、暖房の起動時に室温が設定温度よりも低いときには下吹き出し口から温風を吹き出し、室温設定手段で設定された設定温度による運転および停止を所定の回数行って、床面や壁面を十分暖めた後に、上吹き出し口から温風を吹き出すので、部屋全体を希望した室温に保つことができる。
【００２７】
さらに、床温度検知手段、床温度設定手段、前記床温度検知手段から得られた床温度と前記床温度設定手段で設定された設定温度とを比較する床温度比較手段を有し、床温度が設定温度近傍よりも低いときには下吹き出し口から温風を吹き出し、設定温度近傍では上吹き出し口から温風を吹き出すように吹き出し口の切り換えを制御する制御手段を有するものである。
【００２８】
そして、床設定温度よりも床温度が低いときには下吹き出し口から温風を吹き出し床面や壁面を十分暖めた後、上吹き出し口から温風を吹き出すので、部屋全体を希望した室温に保つことができる。
【００２９】
さらに、床付近に設けられた第一の温度検出手段と、天井付近に設けられた第二の温度検出手段と、前記第一の温度検出手段と第二の温度検出手段から得られた温度差を演算する温度差演算器とを備え、さらに、演算された前記温度差が予め設定された設定温度差より大きい場合には下部吹き出し口から温風を吹き出すように吹き出し口の切り換えを制御し、演算された前記温度差が予め設定された設定温度差より小さい場合には上部吹き出し口から温風を吹き出すように吹き出し口の切り換えを制御する制御手段を有するものである。
【００３０】
そして、下部吹き出し口から温風を吹き出す暖房で室温が設定温度に近づき、風量を減少し、部屋の上下温度差が大きく（暖房負荷が小さい）なってから、上部吹き出し口から温風を吹き出すので、部屋全体を快適に保つことができる。
【００３１】
さらに、暖房運転開始からの時間を積算するタイマと、前記タイマから得られた積算時間と予め設定された設定時間とを比較する時間比較手段とを備え、前記積算時間が前記設定時間以上になれば、上吹き出し口から温風を吹き出すように吹き出し口の切り換えを制御する制御手段を有するものである。
【００３２】
そして、暖房の起動時の室温が低いときには下吹き出し口から温風を吹き出し、所定の時間、床面や壁面を十分暖めた後に、上吹き出し口から温風を吹き出すので、部屋全体を希望した室温に保つことができる。
【００３３】
さらに、上下吹き出し口切り換え選択スイッチを有するものである。
【００３４】
そして、急速に部屋を暖房したい時や直接温風に当たって採暖をとりたい時には、温風暖房機の使用者は上下吹き出し口切り換え選択スイッチで下吹き出し暖房を選択すれば、部屋の温度は速く上昇するし、また、直に体に温風を当てて暖まることができる。逆に、気流感が気になり、温風に当たりたくない時や部屋全体を均一に暖めたい時には、温風暖房機の使用者は上下吹き出し口切り換え選択スイッチで上吹き出し暖房を選択すれば、部屋の上下温度差が小さく、気流が部屋全体に広がるので気流感、冷風感もなく、快適な居住空間を得ることができる。
【００３５】
【実施例】
以下、本発明の実施例について図面を用いて説明する。
【００３６】
（実施例１）
図１（ａ）は本発明の実施例１の下吹き出し状態の温風暖房機を示す構成図、図１（ｂ）は同上吹き出し状態の温風暖房機を示す構成図、図２は上吹き出し風量に対する上下温度差を示す同温風暖房機の説明図、図３は熱交換器通過風量に対する熱交換器の暖房能力を示す同温風暖房機の説明図、図４は同温風暖房機の気流説明図、図５は同温風暖房機の垂直温度分布説明図である。
【００３７】
図１において、シスターン１、ボイラ２およびポンプ３を順次連結して構成される室外機４と、熱交換器５を有する室内機７とは接続配管８で接続されている。
【００３８】
前記室内機７の下部には下部風向変更羽根１２ａを有する下部吹き出し口１０ａと下部送風機６ａが設けられており、前記室内機７の上部には上部風向変更羽根１２ｂを有する上部吹き出し口１０ｂと上部送風機６ｂが設けられている。１４は下部送風機６ａと上部送風機６ｂを駆動する送風機駆動手段１４である。また、下部吹き出し口１０ａと上部吹き出し口１０ｂとの間で熱交換器５に対向する位置に吸い込み口９を設け、この吸い込み口９の上方に熱交換器バイパス用吸い込み口１５を設ける。そして、１６は熱交換器バイパス用吸い込み口１５の開口面積を変化させる熱交換器バイパス用吸い込み口開閉手段である。この熱交換器バイパス用吸い込み口開閉手段１６は、例えば図１に示すように、上下に移動する遮蔽板１７とこの遮蔽板１７を駆動する遮蔽板駆動手段１８とから構成されている。さらに、１９は送風機駆動手段１４と下部風向変更羽根１２ａと上部風向変更羽根１２ｂと熱交換器バイパス用吸い込み口開閉手段１６（遮蔽板１７と遮蔽板駆動手段１８）とを制御する制御手段である。
【００３９】
次に動作、作用について説明する。
【００４０】
室内の温度が低く暖房負荷が大きい時や温風を足元に直接当てて暖房したい時には、下吹き出し状態で暖房を行う。すなわち、制御手段１９は、下部風向変更羽根１２ａを開き、上部風向変更羽根１２ｂを閉じ、さらに、遮蔽板１７で熱交換器バイパス用吸い込み口１５を閉じるように制御した後、下部送風機６ａが回転するように送風機駆動手段１４を制御することによって、下吹き出し状態を設定する。そして、室外機４のボイラ２が動作してポンプ３によって室内機７に送られてきた温水と、下部送風機６ａによって吸い込み口９から吸い込まれた空気とが、熱交換器５で熱交換して、吸い込まれた空気は加熱されて温風となって下部吹き出し口１０ａから吹き出される。
【００４１】
次に、室内の温度が上昇し暖房負荷が小さい時や直接温風に当たりたくない時には、上吹き出し状態で暖房を行う。すなわち、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。そして、上部送風機６ｂによって、吸い込み口９と熱交換器バイパス用吸い込み口１５とから空気が吸い込まれる。前者の空気は熱交換器を通過するため高温であり、後者の空気は低温（室温と同じ）である。両者の空気はある程度混合するが概ね別々の温度層となって、上部吹き出し口１０ｂから吹き出される。
【００４２】
図２は、横軸に上吹き状態で吹き出される空気の風量をとり、縦軸に部屋の上下の温度差（例えば、床上１８００ｍｍでの水平面の平均温度と床上５０ｍｍでの水平面の平均温度との差）をとって、暖房負荷に見合う暖房能力Ｑで部屋を暖房した場合の風量と部屋の上下の温度差の関係を示したものである。また、図３は、横軸に熱交換器５を通過する風量をとり、縦軸に熱交換器５の暖房能力をとって、熱交換器５の通過風量と暖房能力の関係を示したものである。今、図２において、部屋の上下温度差をＴにするためには風量Ｖが必要である。仮に、この風量Ｖをすべて熱交換器５に通せば、その時の暖房能力は、図３からわかるように、Ｑａとなる。しかし、この暖房能力Ｑａは、室内の温度が上昇し暖房負荷が小さいときには、暖房負荷に見合った暖房能力Ｑよりもかなり大きくなり、部屋の温度が希望する温度よりも高くなってしまう。そこで、上部送風機６ｂによって吸い込む必要のある風量Ｖのうちで、暖房能力Ｑに必要な風量Ｖｅｘは、吸い込み口９から吸い込む（これは熱交換器５を通過する風量である）。また、残りの風量（Ｖ−Ｖｅｘ）は、熱交換器バイパス用吸い込み口１５から吸い込むことになる。
【００４３】
図４は図４３のＡ面における下吹き出し状態と上吹き出し状態での温風の循環経路を示したものであり、同図において、実線は上吹き出し状態、点線は下吹き出し状態の循環経路である。同図からわかるように、上吹き出し状態では、上に吹き出した空気の多くが天井面や壁面に沿って流れ、最終的に、吸い込み口９と熱交換器バイパス用吸い込み口１５とより吸い込まれるので、温風は部屋全体に広がることがわかる。
【００４４】
図５は図４３のＢ、Ｃ面各面それぞれにおいて、各高さにおける水平方向の温度の平均を求めて、その分布を示したものである。なお、一点鎖線は部屋全体の平均温度であり、細い実線は図４５で示す従来例の場合であり、太い実線は本発明の場合である。図５からわかるように従来例と比較して、上下の温度差が少なく、また、部屋全体も均一である。特に、室内機７と対向する壁付近の床温度は従来例と比べて高くなっていることがわかる。
【００４５】
（実施例２）
図６（ａ）は本発明の実施例２の温風暖房機の暖房負荷の大きい場合の下吹き出し状態を示す構成図、図６（ｂ）は同暖房負荷の小さい場合の下吹き出し状態を示す構成図である。
【００４６】
本実施例において、実施例１と異なる点は、暖房負荷が小さい場合においても直接温風に当たりたい時には下吹き出し状態で暖房を行う構成としていることである。
【００４７】
なお、実施例１と同一符号の部分は同一構成を有し、説明は省略する。
【００４８】
次に動作、作用を説明する。室内の温度が低く暖房負荷が大きい時には、図６（ａ）に示すように、実施例１と同じ構成の下吹き出し状態で暖房を行う。この場合は実施例１と同じなので説明は省略する。
【００４９】
次に、室内の温度が上昇し暖房負荷が小さくなり、かつ、温風を足元に直接当てて暖房したい時には、実施例１と異なり、下吹き出し状態で暖房を行う。すなわち、制御手段１９は、下部風向変更羽根１２ａを開き、上部風向変更羽根１２ｂを閉じ、さらに、遮蔽板１７で熱交換器バイパス用吸い込み口１５を開くように制御した後、下部送風機６ａが回転するように送風機駆動手段１４を制御することによって、下吹き出し状態を設定する。そして、下部送風機６ａによって、吸い込み口９と熱交換器バイパス用吸い込み口１５とから空気が吸い込まれる。
【００５０】
前者の空気は熱交換器を通過するため高温であり、後者の空気は低温（室温と同じ）である。両者の空気はある程度混合するが概ね別々の温度層となって、下部吹き出し口１０ａから吹き出される。図４１で示す従来例の場合、暖房負荷が少なくなり暖房能力を落とすときには単に風量を減少させていたため、高温の空気はすぐに上昇してしまい部屋の上下の温度差が大きくなっていた。これに対して、本実施例の場合には、熱交換器バイパス用吸い込み口１５から吸い込まれた低温の空気が、吸い込み口９から吸い込まれ熱交換器５で高温になった空気を上から押さえ込むため、下部吹き出し口１０ａから吹き出された温風は床面に沿って遠くまで到達するので、部屋の上下の温度差は少なくなる。
【００５１】
（実施例３）
図７は本発明の実施例３の温風暖房機の上吹き出し状態を示す室内機の構成図、図８は熱交換器バイパス用吸い込み口の開口面積に対する風量の変化を示す説明図である。
【００５２】
なお、実施例１と同一符号の部分は同一構成を有し、説明は省略する。
【００５３】
次に動作、作用を説明する。室内の温度が低く暖房負荷が大きいときに行う下吹き出し暖房の場合には、実施例１と同様であるので説明は省略する。
【００５４】
次に、室内の温度が上昇し暖房負荷が小さいときに行う上吹き出し暖房の場合を説明する。すなわち、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。そして、上部送風機６ｂによって、吸い込み口９と熱交換器バイパス用吸い込み口１５とから空気が吸い込まれる。前者の空気は熱交換器を通過するため高温であり、後者の空気は低温（室温と同じ）である。両者の空気はある程度混合するが概ね別々の温度層となって、上部吹き出し口１０ｂから吹き出される。
【００５５】
そして、その時の暖房負荷に応じて、制御手段１９は遮蔽板駆動手段１８で遮蔽板１７を上下に移動させることによって、熱交換器バイパス用吸い込み口１５の開口面積を変化させる。
【００５６】
図８において、横軸に熱交換器バイパス用吸い込み口１５の開口面積をとり、縦軸に吸い込み口９を通過する風量（熱交換器５を通過する風量）と熱交換器バイパス用吸い込み口１５を通過する風量（熱交換器５をバイパスする風量）とをとって、熱交換器バイパス用吸い込み口１５の開口面積の変化に対する風量の変化を示す。図８からわかるように、熱交換器バイパス用吸い込み口１５の開口面積を閉じた状態から開いていくと、熱交換器バイパス用吸い込み口１５を通過する風量（熱交換器５をバイパスする風量）は大きくなり、吸い込み口９を通過する風量（熱交換器５を通過する風量）は小さくなる。また、熱交換器５を通過する風量と熱交換器５の暖房能力とは、図３に示すようになる。従って暖房負荷に見合った暖房能力Ｑを出そうとすれば、図８において、風量Ｖｅｘとなる熱交換器バイパス用吸い込み口１５の開口面積Ａｅｘとなるように設定すればよい。
【００５７】
図４１で示す従来例の場合には、能力制御をするために、送風機６の回転数を変化させていたので、室温の変動に応じて送風機６の回転数が変化し、それに伴って騒音値も変化するため、耳障りで不快であった。これに対して、本実施例３の場合は熱交換器バイパス用吸い込み口１５の開口面積の変化（遮蔽板１７の移動）で能力制御ができるので、騒音の変動が少ない。
【００５８】
（実施例４）
図９は本発明の実施例４の温風暖房機を示す室内機の構成図、図１０は同温風暖房機の気流説明図、図１１は同温風暖房機の他の実施例の室内機の構成図である。
【００５９】
本実施例４において、実施例１と異なる点は、吸い込み口９の開閉を行う吸い込み口開閉手段２０を設けたことであり、この吸い込み口開閉手段２０は、例えば図９に示すように、熱交換器吸い込み口遮蔽板２１とこの熱交換器吸い込み口遮蔽板２１を駆動する熱交換器吸い込み口遮蔽板駆動手段２２とで構成される。
【００６０】
なお、実施例１と同一符号の部分は同一構成を有し、説明は省略する。
【００６１】
次に動作、作用を説明する。室内の温度が低く暖房負荷が大きいときに行う下吹き出し暖房の場合には、熱交換器吸い込み口遮蔽板駆動手段２２は熱交換器吸い込み口遮蔽板２１を駆動して、吸い込み口９を開ける。その他については、実施例１と同様であるので説明は省略する。
【００６２】
次に、室内の温度が上昇し暖房負荷が小さい時や直接温風に当たりたくない時には上吹き出し状態で暖房を行う。この場合も、熱交換器吸い込み口遮蔽板駆動手段２２は熱交換器吸い込み口遮蔽板２１を駆動して、吸い込み口９を開ける。さらに、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。
【００６３】
そして、この上吹き出し暖房で暖房していて、さらに室温が上昇し、暖房停止温度になれば、熱交換器吸い込み口遮蔽板駆動手段２２は熱交換器吸い込み口遮蔽板２１を駆動して、吸い込み口９を閉じる。その結果、上部送風機６ｂによって吸い込まれる空気は、熱交換器バイパス用吸い込み口１５からの空気のみになるので、上部吹き出し口１０ｂから吹き出される空気は室温と同じ温度となる。
【００６４】
図１０は図４３のＡ面における上吹き出し状態での温風の循環経路を示したものであり、同図において、実線は上部吹き出し口１０ｂから吹き出された空気の循環経路である。また、部屋の上層部（天井付近）には暖かい空気が滞留している。上部吹き出し口１０ｂから吹き出された空気は天井付近に到達し、さらに、天井付近で滞留している暖かい空気を床面まで押し下げ、最終的には、熱交換器バイパス用吸い込み口１５から室内機７に吸い込まれることによって循環する。
【００６５】
このように、上部吹き出し口１０ｂから吹き出した空気の多くが天井面や壁面に沿って流れ、最終的に、熱交換器バイパス用吸い込み口１５より吸い込まれるので、暖房を停止する場合にも、温風が床面に到達することがわかる。
【００６６】
図１１は、本発明の実施例４の温風暖房機の他の実施例を示す室内機の構成図である。図９と異なる点は、熱交換器バイパス用吸い込み口１５の開閉を行う熱交換器バイパス用吸い込み口開閉手段１６を吸い込み口９の開閉を行う吸い込み口開閉手段２０と兼ねている点である。この場合の動作、作用を説明する。
【００６７】
室内の温度が低く暖房負荷が大きいときに行う下吹き出し暖房の場合には、実施例１と同様であるから説明は省略する。
【００６８】
次に、室内の温度が上昇し暖房負荷が小さい時や直接温風に当たりたくない時には上吹き出し状態で暖房を行う。この場合も、実施例１と同様であるから説明は省略する。
【００６９】
そして、この上吹き出し暖房で暖房していて、さらに室温が上昇し、暖房停止温度になれば、遮蔽板駆動手段１８は遮蔽板１７を駆動して、吸い込み口９を閉じる。
【００７０】
その他の作用、効果については図９の場合と同様であるから説明は省略する。
【００７１】
（実施例５）
図１２（ａ）は本発明の実施例５の下吹き出し状態の温風暖房機を示す構成図、図１２（ｂ）は同上吹き出し状態の温風暖房機を示す構成図、図１３は同温風暖房機の室温に対する吹き出し口切り換え状態を説明する説明図である。本実施例５において、実施例１と異なる点は、室温を検知する室温検知手段２３と室温を設定する室温設定手段２４とを設け、この両手段から得られる室温と設定温度とを比較する室温設定比較手段２５からの信号で吹き出し口の切り換えを制御する制御手段１９を設けたことである。
【００７２】
なお、実施例１と同一符号の部分は同一構成を有し、説明は省略する。
次に動作、作用を説明する。
【００７３】
暖房運転を開始すると、室温設定比較手段２５は室温検知手段２３から得られた室温と室温設定手段２４で設定された設定温度とを比較する。そして、室温が設定温度近傍よりも低ければ、下吹き出し状態になるように、制御手段１９は、下部風向変更羽根１２ａを開き、上部風向変更羽根１２ｂを閉じ、さらに、遮蔽板１７で熱交換器バイパス用吸い込み口１５を閉じるように制御した後、下部送風機６ａが回転するように送風機駆動手段１４を制御することによって、下吹き出し状態を設定する。そして、室外機４のボイラ２が動作してポンプ３によって室内機７に送られてきた温水と、下部送風機６ａによって吸い込み口９から吸い込まれた空気とが、熱交換器５で熱交換して、吸い込まれた空気は加熱されて温風となって下部吹き出し口１０から吹き出される。
【００７４】
次に、室温が上昇し、室温設定比較手段２５が室温検知手段２３から得られた室温と室温設定手段２４で設定された設定温度とを比較し、室温が設定温度近傍なれば、上吹き出し状態になるように、制御手段１９は吹き出し口の切り換えを行う。すなわち、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。そして、上部送風機６ｂによって、吸い込み口９と熱交換器バイパス用吸い込み口１５とから空気が吸い込まれる。前者の空気は熱交換器を通過するため高温であり、後者の空気は低温（室温と同じ）である。両者の空気はある程度混合するが概ね別々の温度層となって、上部吹き出し口１０ｂから吹き出される。
【００７５】
図１３は、横軸に室温をとり、縦軸に下部送風機６ａまたは上部送風機６ｂによって吸い込まれる風量と上下の吹き出し状態とをとって室温に対する上下の吹き出し状態を説明したものである。図１３において、設定温度をＳとし、室温が上昇し、能力と風量の制御が始まる温度を（Ｓ−Ｔ１）、設定温度近傍の温度範囲を（Ｓ−Ｔ２）から（Ｓ＋Ｔ３）とする。いま、設定温度が２５゜ｃとして、例えば、能力と風量の制御が始まる温度を２１゜ｃで、設定温度近傍の温度範囲を２４゜ｃから２６゜ｃとする。暖房運転を開始して室温が設定温度近傍の２４゜ｃから２６゜ｃの温度範囲以下であれば、下吹き出し状態で暖房を行うことによって、下部送風機６ａが駆動される。そして、室温が上昇して、能力と風量の制御が始まる温度２１゜ｃになれば下部送風機６ａの回転数を落とすことによって能力を減少させる。さらに、室温が上昇するにつれて下部送風機６ａの回転数も減少する。室温が２４゜ｃになれば、制御手段１９は上吹き出し状態を設定することによって、上部送風機６ｂが駆動される。そして、室温がさらに上昇し、設定温度近傍の温度範囲（２４゜ｃから２６゜ｃ）以上になれば、上部送風機６ｂを停止させる。
【００７６】
（実施例６）
図１４（ａ）は本発明の実施例６の下吹き出し状態の温風暖房機を示す構成図、図１４（ｂ）は同上吹き出し状態の温風暖房機を示す構成図である。本実施例６において、実施例５と異なる点は、室温を検知する室温検知手段２３として熱交換器５の風上側に設けられた吸い込み温度検出手段２６を設けた点である。
【００７７】
なお、実施例５と同一符号の部分は同一構成を有し、説明は省略する。
【００７８】
また、室温検知手段２３として吸い込み温度検出手段２６を用いているので、動作、作用についても、実施例５と同様である。
【００７９】
（実施例７）
図１５（ａ）は本発明の実施例７の下吹き出し状態の温風暖房機を示す構成図、図１５（ｂ）は同上吹き出し状態の温風暖房機を示す構成図である。本実施例７において、実施例５と異なる点は、室温を検知する室温検知手段２３として熱交換器５の風下側に設けられた吹き出し温度検出手段２７を設け、熱交換器５の吸い込み温度と吹き出し温度との関係を記憶している吹き出し吸い込み温度記憶部２８を設けたことである。
【００８０】
なお、実施例５と同一符号の部分は同一構成を有し、説明は省略する。
【００８１】
次に動作、作用を説明する。
【００８２】
図１６は横軸に吹き出し温度をとり、縦軸に熱交換器５の吸い込み温度をとって、風量をパラメータとして、吹き出し温度と吸い込み温度との関係を示したものである。一般にこの種の温風暖房機の場合熱交換器５に入ってくる温水の温度と流量は一定である。そして熱交換器５を通過する風量が既知で、吹き出し温度がわかれば吸い込み温度が決まる。従って風量に対する吹き出し温度と吸い込み温度との関係を予め求めておけば、吹き出し温度で吸い込み温度がわかることになる。
【００８３】
従って、室温を検出する場合、吹き出し温度検出手段２７で吹き出し温度を検出し、さらに、この信号をもとに、吹き出し吸い込み温度記憶部２８は吸い込み温度を求める。この吸い込み温度が室温となる。この他の動作、作用については実施例５と同様であるので説明は省略する。
【００８４】
（実施例８）
図１７（ａ）は本発明の実施例８の下吹き出し状態の温風暖房機を示す構成図、図１７（ｂ）は同上吹き出し状態の温風暖房機を示す構成図、図１８は同温風暖房機の出口水温と吸い込み温度との関係を説明する説明図である。本実施例８において、実施例５と異なる点は、室温を検知する室温検知手段２３として熱交換器５の温水の出口側に設けられた出口水温検出手段２９を設け、熱交換器５の吸い込み温度と出口水温との関係を記憶している出口水温吸い込み温度記憶部３０を設けた点である。
【００８５】
なお、実施例５と同一符号の部分は同一構成を有し、説明は省略する。
【００８６】
次に動作、作用を説明する。
【００８７】
図１８は横軸に出口水温をとり、縦軸に熱交換器５の吸い込み温度をとって、風量をパラメータとして、出口水温と吸い込み温度との関係を示したものである。
【００８８】
一般にこの種の温風暖房機の場合熱交換器５に入ってくる温水の温度と温水の流量は一定である。従って、熱交換器５を通過する風量が既知で、出口水温がわかれば吸い込み温度が決まる。そして風量に対する出口水温と吸い込み温度との関係を予め求めておけば、出口水温で吸い込み温度がわかることになる。従って、室温を検出する場合、出口水温検出手段２９で出口水温を検出し、さらに、この信号をもとに、出口水温吸い込み温度記憶部３０は吸い込み温度を求める。この吸い込み温度が室温となる。この他の動作、作用については実施例５と同様であるから説明は省略する。
【００８９】
（実施例９）
図１９（ａ）は本発明の実施例９の下吹き出し状態の温風暖房機を示す構成図、図１９（ｂ）は同上吹き出し状態の温風暖房機を示す構成図、図２０は同温風暖房機の室温と床面温度との関係を説明する説明図である。本実施例９において、実施例１と異なる点は、室温を検知する室温検知手段２３と室温を設定する室温設定手段２４とを設け、この両手段から得られる室温と設定温度とを比較する室温設定比較手段２５を設け、さらに、室温設定手段２４で設定された設定温度による停止および再運転を行った回数を数えるカウンタ３１を設け、このカウンタ３１からの信号で吹き出し口の切り換えを制御する制御手段１９を設けたことである。
【００９０】
なお、実施例１と同一符号の部分は同一構成を有し、説明は省略する。
【００９１】
次に動作、作用を説明する。
【００９２】
暖房運転を開始すると、室温設定比較手段２５は室温検知手段２３から得られた室温と室温設定手段２４で設定された設定温度とを比較する。そして、室温が設定温度よりも低ければ、下吹き出し状態になるように、制御手段１９は吹き出し口の切り換えを行う。
【００９３】
次に、室温が上昇してきて設定温度から決まる暖房停止温度に達すると下部送風機６ａを停止し、その後室温が下がって設定温度から決まる再起動温度に達すると下部送風機６ａを運転する。
【００９４】
この暖房停止、再起動運転を所定の回数行った後、次に設定温度から決まる再起動温度に達すると、上吹き出し状態になるように、制御手段１９は吹き出し口の切り換えを行う。
【００９５】
図２０は、横軸に時間をとり、縦軸に室温と床面の温度と上下の吹き出し状態とをとって、時間に対する室温と床温度の関係を説明したものである。図２０からわかるように、暖房運転を開始して室温の上昇速度よりも床面温度の上昇速度のほうが遅い。だから、暖房の立ち上げにおいては、下吹き出し状態で設定温度からきまる暖房停止・再起動運転を所定の回数（図２０では３回）行って、床面温度が上昇してから上吹き出し状態にする。
【００９６】
（実施例１０）
図２１（ａ）は本発明の実施例１０の下吹き出し状態の温風暖房機を示す構成図、図２１（ｂ）は同上吹き出し状態の温風暖房機を示す構成図である。本実施例１０において、実施例９と異なる点は、室温を検知する室温検知手段２３として熱交換器５の風上側に設けられた吸い込み温度検出手段２６を設けた点である。
【００９７】
なお、実施例９と同一符号の部分は同一構成を有し、説明は省略する。
【００９８】
また、室温検知手段２３として吸い込み温度検出手段２６を用いているので、動作、作用についても、実施例９と同様である。
【００９９】
（実施例１１）
図２２（ａ）は本発明の実施例１１の下吹き出し状態の温風暖房機を示す構成図、図２２（ｂ）は同上吹き出し状態の温風暖房機を示す構成図である。本実施例１１において、実施例９と異なる点は、室温を検知する室温検知手段２３として熱交換器５の風下側に設けられた吹き出し温度検出手段２７を設け、熱交換器５の吸い込み温度と吹き出し温度との関係を記憶している吹き出し吸い込み温度記憶部２８を設けたことである。
【０１００】
なお、実施例９と同一符号の部分は同一構成を有し、説明は省略する。
【０１０１】
また、吹き出し温度と吸い込み温度との関係は実施例７で説明した図１６と同じであり、この他の動作、作用については実施例９と同様であるから説明は省略する。
【０１０２】
（実施例１２）
図２３（ａ）は本発明の実施例１２の下吹き出し状態の温風暖房機を示す構成図、図２３（ｂ）は同上吹き出し状態の温風暖房機を示す構成図である。本実施例１２において、実施例９と異なる点は、室温を検知する室温検知手段２３として熱交換器５の温水の出口側に設けられた出口水温検出手段２９を設け、熱交換器５の吸い込み温度と出口水温度との関係を記憶している出口水温吸い込み温度記憶部３０を設けた点である。
【０１０３】
なお、実施例９と同一符号の部分は同一構成を有し、説明は省略する。
【０１０４】
また、出口水温と吸い込み温度との関係は実施例８で説明した図１８と同じであり、この他の動作、作用については実施例９と同様であるので説明は省略する。
【０１０５】
（実施例１３）
図２４（ａ）は本発明の実施例１３の下吹き出し状態の温風暖房機を示す構成図、図２４（ｂ）は同上吹き出し状態の温風暖房機を示す構成図、図２５は同温風暖房機の輻射温度に対する吹き出し口切り換え状態を説明する説明図である。
【０１０６】
本実施例１３において、実施例１と異なる点は、輻射温度を検知する輻射温度検知手段３２と輻射温度を設定する輻射温度設定手段３３とを設け、この両手段から得られる輻射温度と設定温度とを比較する輻射温度比較手段３４からの信号で吹き出し口の切り換えを制御する制御手段１９を設けたことである。
【０１０７】
なお、実施例１と同一符号の部分は同一構成を有し、説明は省略する。
【０１０８】
次に動作、作用を説明する。
【０１０９】
暖房運転を開始すると、輻射温度比較手段３４は輻射温度検知手段３２から得られた輻射温度と輻射温度設定手段３３で設定された設定温度とを比較する。そして、輻射温度が設定温度近傍よりも低ければ、下吹き出し状態になるように、制御手段１９は吹き出し口の切り換えを行う。すなわち、制御手段１９は、下部風向変更羽根１２ａを開き、上部風向変更羽根１２ｂを閉じ、さらに、遮蔽板１７で熱交換器バイパス用吸い込み口１５を閉じるように制御した後、下部送風機６ａが回転するように送風機駆動手段１４を制御することによって、下吹き出し状態を設定する。
【０１１０】
次に、室温が上昇し、輻射温度比較手段３４が輻射温度検知手段３２から得られた輻射温度と輻射温度設定手段３３で設定された設定温度とを比較し、輻射温度が設定温度近傍なれば、上吹き出し状態になるように、制御手段１９は吹き出し口の切り換えを行う。すなわち、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。
【０１１１】
図２５は、横軸に輻射温度をとり、縦軸に下部送風機６ａまたは上部送風機６ｂによって吸い込まれる風量と上下の吹き出し状態とをとって輻射温度に対する上下の吹き出し状態を説明したものである。図２５において、設定温度をＳとし、輻射温度が上昇し、能力と風量の制御が始まる温度を（Ｓ−Ｒ１）、設定温度近傍の温度範囲を（Ｓ−Ｒ２）から（Ｓ＋Ｒ３）とする。暖房運転を開始して輻射温度が設定温度近傍の（Ｓ−Ｒ２）から（Ｓ＋Ｒ３）の温度範囲以下であれば、下吹き出し状態で暖房を行うことによって、下部送風機６ａが駆動される。そして、輻射温度が上昇して、能力と風量の制御が始まる温度（Ｓ−Ｒ１）になれば下部送風機６ａの回転数を落とすことによって能力を減少させる。さらに、輻射温度が上昇するにつれて下部送風機６ａの回転数も減少する。輻射温度が（Ｓ−Ｒ２）になれば、制御手段１９は上吹き出し状態を設定することによって、上部送風機６ｂが駆動される。そして、輻射温度がさらに上昇し、設定温度近傍の輻射温度範囲（Ｓ−Ｒ２）から（Ｓ＋Ｒ３）以上になれば、上部送風機６ｂを停止させる。
【０１１２】
（実施例１４）
図２６（ａ）は本発明の実施例１４の下吹き出し状態の温風暖房機を示す構成図、図２６（ｂ）は同上吹き出し状態の温風暖房機を示す構成図、図２７は同温風暖房機の壁温度に対する吹き出し口切り換え状態を説明する説明図である。本実施例１４において、実施例１と異なる点は、壁温度を検知する壁温度検知手段３５と壁温度を設定する壁温度設定手段３６とを設け、この両手段から得られる壁温度と設定温度とを比較する壁温度設定比較手段３７からの信号で吹き出し口の切り換えを制御する制御手段１９を設けたことである。
【０１１３】
なお、実施例１と同一符号の部分は同一構成を有し、説明は省略する。
【０１１４】
次に動作、作用を説明する。暖房運転を開始すると、壁温度設定比較手段３７は壁温度検知手段３５から得られた壁温度と壁温度設定手段３６で設定された設定温度とを比較する。そして、壁温度が設定温度近傍よりも低ければ、下吹き出し状態になるように、制御手段１９は吹き出し口の切り換えを行う。すなわち、制御手段１９は、下部風向変更羽根１２ａを開き、上部風向変更羽根１２ｂを閉じ、さらに、遮蔽板１７で熱交換器バイパス用吸い込み口１５を閉じるように制御した後、下部送風機６ａが回転するように送風機駆動手段１４を制御することによって、下吹き出し状態を設定する。
【０１１５】
次に、壁温度が上昇し、壁温度設定比較手段３７が壁温度検知手段３５から得られた壁温度と壁温度設定手段３６で設定された設定温度とを比較し、壁温度が設定温度近傍なれば、上吹き出し状態になるように、制御手段１９は吹き出し口の切り換えを行う。すなわち、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。
【０１１６】
図２７は、横軸に壁温度をとり、縦軸に下部送風機６ａまたは上部送風機６ｂによって吸い込まれる風量と上下の吹き出し状態とをとって壁温度に対する上下の吹き出し状態を説明したものである。同図において、設定温度をＳとし、壁温度が上昇し、能力と風量の制御が始まる温度を（Ｓ−ｔ１）、設定温度近傍の温度範囲を（Ｓ−ｔ２）から（Ｓ＋ｔ３）とする。暖房運転を開始して壁温度が設定温度近傍の（Ｓ−ｔ２）から（Ｓ＋ｔ３）の温度範囲以下であれば、下吹き出し状態で暖房を行うことによって、下部送風機６ａが駆動される。そして、壁温度が上昇して、能力と風量の制御が始まる温度（Ｓ−ｔ１）になれば下部送風機６ａの回転数を落とすことによって能力を減少させる。さらに、壁温度が上昇するにつれて下部送風機６ａの回転数も減少する。壁温度が（Ｓ−ｔ２）になれば、制御手段１９は上吹き出し状態を設定することによって、上部送風機６ｂが駆動される。そして、壁温度がさらに上昇し、設定温度近傍の温度範囲（（Ｓ−ｔ２）から（Ｓ＋ｔ３））以上になれば、上部送風機６ｂを停止させる。
【０１１７】
（実施例１５）
図２８（ａ）は本発明の実施例１５の下吹き出し状態の温風暖房機を示す構成図、図２８（ｂ）は同上吹き出し状態の温風暖房機を示す構成図、図２９は同温風暖房機の床温度に対する吹き出し口切り換え状態を説明する説明図である。本実施例１５において、実施例１と異なる点は、床温度を検知する床温度検知手段３８と床温度を設定する床温度設定手段３９とを設け、この両手段から得られる床温度と設定温度とを比較する床温度比較手段４０からの信号で吹き出し口の切り換えを制御する制御手段１９を設けたことである。
【０１１８】
なお、実施例１と同一符号の部分は同一構成を有し、説明は省略する。
【０１１９】
次に動作、作用を説明する。
【０１２０】
暖房運転を開始すると、床温度比較手段４０は床温度検知手段３８から得られた床温度と床温度設定手段３９で設定された設定温度とを比較する。そして、床温度が設定温度近傍よりも低ければ、下吹き出し状態になるように、制御手段１９は吹き出し口の切り換えを行う。すなわち、制御手段１９は、下部風向変更羽根１２ａを開き、上部風向変更羽根１２ｂを閉じ、さらに、遮蔽板１７で熱交換器バイパス用吸い込み口１５を閉じるように制御した後、下部送風機６ａが回転するように送風機駆動手段１４を制御することによって、下吹き出し状態を設定する。
【０１２１】
次に、床温度が上昇し、床温度比較手段４０が床温度検知手段３８から得られた床温度と床温度設定手段３９で設定された設定温度とを比較し、床温度が設定温度近傍なれば、上吹き出し状態になるように、制御手段１９は吹き出し口の切り換えを動作を行う。すなわち、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。
【０１２２】
図２９は、横軸に床温度をとり、縦軸に下部送風機６ａまたは上部送風機６ｂによって吸い込まれる風量と上下の吹き出し状態とをとって床温度に対する上下の吹き出し状態を説明したものである。同図において、設定温度をＳとし、床温度が上昇し、能力と風量の制御が始まる温度を（Ｓ−Ｕ１）、設定温度近傍の温度範囲を（Ｓ−Ｕ２）から（Ｓ＋Ｕ３）とする。暖房運転を開始して床温度が設定温度近傍の（Ｓ−Ｕ２）から（Ｓ＋Ｕ３）の温度範囲以下であれば、下吹き出し状態で暖房を行うことによって、下部送風機６ａが駆動される。そして、床温度が上昇して、能力と風量の制御が始まる温度（Ｓ−Ｕ１）になれば下部送風機６ａの回転数を落とすことによって能力を減少させる。さらに、床温度が上昇するにつれて下部送風機６ａの回転数も減少する。床温度が（Ｓ−Ｕ２）になれば、制御手段１９は上吹き出し状態を設定することによって、上部送風機６ｂが駆動される。そして、床温度がさらに上昇し、設定温度近傍の温度範囲（（Ｓ−Ｕ２）から（Ｓ＋Ｕ３））以上になれば、上部送風機６ｂを停止させる。
【０１２３】
（実施例１６）
図３０（ａ）は本発明の実施例１６の下吹き出し状態の温風暖房機を示す構成図、図３０（ｂ）は同上吹き出し状態の温風暖房機を示す構成図、図３１は同温風暖房機の暖房負荷に対する吹き出し口切り換え状態を説明する説明図である。本実施例１６において、実施例１と異なる点は、暖房負荷を検知する暖房負荷検知手段４１とこの暖房負荷検知手段４１からの信号により暖房負荷を積算する暖房負荷積算器４２と暖房負荷を設定する暖房負荷設定手段４３とを設け、この暖房負荷積算器４２から得られる暖房負荷と設定負荷とを比較する負荷比較手段４４からの信号で吹き出し口の切り換えを制御する制御手段１９を設けたことである。
【０１２４】
なお、実施例１と同一符号の部分は同一構成を有し、説明は省略する。
【０１２５】
次に動作、作用を説明する。
【０１２６】
暖房運転を開始すると、負荷比較手段４４は暖房負荷検知手段４１からの信号を積算する暖房負荷積算器４２から得られた暖房負荷と暖房負荷設定手段４３で設定された設定負荷とを比較する。そして、暖房負荷が設定負荷近傍よりも大きければ、下吹き出し状態になるように、制御手段１９は吹き出し口の切り換えを行う。すなわち、制御手段１９は、下部風向変更羽根１２ａを開き、上部風向変更羽根１２ｂを閉じ、さらに、遮蔽板１７で熱交換器バイパス用吸い込み口１５を閉じるように制御した後、下部送風機６ａが回転するように送風機駆動手段１４を制御することによって、下吹き出し状態を設定する。
【０１２７】
次に、室温が上昇し、負荷比較手段４４が暖房負荷積算器４２から得られた暖房負荷と暖房負荷設定手段４３で設定された設定負荷とを比較し、暖房負荷が設定負荷近傍であれば、上吹き出し状態になるように、制御手段１９は吹き出し口の切り換えを行う。すなわち、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。
【０１２８】
図３１は、横軸に暖房負荷をとり、縦軸に下部送風機６ａまたは上部送風機６ｂによって吸い込まれる風量と上下の吹き出し状態とをとって暖房負荷に対する上下の吹き出し状態を説明したものである。図３１において、設定負荷をＳとし、暖房負荷が減少し、能力と風量の制御が始まる暖房負荷を（Ｓ−Ｌ１）、設定負荷近傍の暖房負荷範囲を（Ｓ−Ｌ２）から（Ｓ＋Ｌ３）とする。暖房運転を開始して暖房負荷が設定負荷近傍の（Ｓ−Ｌ２）から（Ｓ＋Ｌ３）の暖房負荷範囲以上であれば、下吹き出し状態で暖房を行うことによって、下部送風機６ａが駆動される。
【０１２９】
そして、室温が上昇して暖房負荷が小さくなって、能力と風量の制御が始まる暖房負荷（Ｓ−Ｌ１）になれば下部送風機６ａの回転数を落とすことによって能力を減少させる。さらに、暖房負荷が減少するにつれて下部送風機６ａの回転数も減少する。暖房負荷が（Ｓ−Ｌ２）になれば、制御手段１９は上吹き出し状態を設定することによって、上部送風機６ｂが駆動される。そして、暖房負荷がさらに減少し、設定負荷近傍の暖房負荷範囲（（Ｓ−Ｌ２）から（Ｓ＋Ｌ３））以下になれば、上部送風機６ｂを停止させる。
【０１３０】
（実施例１７）
図３２（ａ）は本発明の実施例１７の下吹き出し状態の温風暖房機を示す構成図、図３２（ｂ）は同上吹き出し状態の温風暖房機を示す構成図、図３３は同温風暖房機の吹き出しと吸い込み温度の温度差と暖房能力との関係を示す説明図である。本実施例１７において、実施例１６と異なる点は、暖房負荷を検知する暖房負荷検知手段として熱交換器５の風下側に設けられた吹き出し温度検出手段２７と、熱交換器５の風上側に設けられた吸い込み温度検出手段２６と、さらに、この吹き出し温度検出手段２７と吸い込み温度検出手段２６とからの信号によって暖房能力を計算する能力演算器４５を設けた点である。
【０１３１】
なお、実施例１６と同一符号の部分は同一構成を有し、説明は省略する。
【０１３２】
図３３は、横軸に吹き出し温度検出手段２７から得られた吹き出し温度と吸い込み温度検出手段２６から得られた吸い込み温度との温度差をとり、縦軸に暖房能力をとって、風量をパラメータとして、吹き出し温度と吸い込み温度との温度差と暖房能力の関係を示したものである。そして、吹き出し温度検出手段２７で得た吹き出し温度と吸い込み温度検出手段２６で得た吸い込み温度から、能力演算器４５は暖房負荷を計算するので、動作、作用についても、実施例１６と同様である。
【０１３３】
（実施例１８）
図３４（ａ）は本発明の実施例１８の下吹き出し状態の温風暖房機を示す構成図、図３４（ｂ）は同上吹き出し状態の温風暖房機を示す構成図、図３５は同温風暖房機の入り口水温と出口水温の温度差と暖房能力との関係を示す説明図である。本実施例１８において、実施例１６と異なる点は、暖房負荷を検知する暖房負荷検知手段として熱交換器５の温水入口に設けられた入口水温検出手段４６と、熱交換器５の温水出口に設けられた出口水温検出手段２９と、熱交換機５の温水の流量を求める温水流量検出手段４７と、さらに、この入口水温検出手段４６と出口水温検出手段２９と温水流量検出手段４７とからの信号によって暖房能力を計算する能力演算器４５を設け、この能力演算器４５で求めた暖房能力が暖房負荷と等しいとした点である。
【０１３４】
なお、実施例１６と同一符号の部分は同一構成を有し、説明は省略する。
【０１３５】
図３５は、横軸に入口水温検出手段４６から得られた入口水温と出口水温検出手段２９から得られた出口水温との温度差をとり、縦軸に暖房負荷（暖房能力）をとって、風量をパラメータとして、入口水温と出口水温との温度差と暖房負荷（暖房能力）の関係を示したものである。そして、入口水温検出手段４６から得られた入口水温と出口水温検出手段２９から得られた出口水温との温度差と、温水流量検出手段４７から得た温水流量とから、能力演算器４５は暖房能力を計算するので、動作、作用についても、実施例１６と同様である。
【０１３６】
（実施例１９）
図３６は本発明の実施例１９の下吹き出し状態の温風暖房機を示す構成図、図３７は同温風暖房機の時間に対する上下温度差と吹き出し口切り換え状態を説明する説明図である。本実施例１９において、実施例１と異なる点は、床付近に設けられた第一の温度検出手段４８と、天井付近に設けられた第二の温度検出手段４９と、この第一の温度検出手段４８から得られた床付近温度と第二の温度検出手段４９から得られた天井付近温度との温度差を演算する温度差演算器５０と、上下温度差を設定する上下温度差設定手段５１と、演算された前記温度差と上下温度差設定手段５１で設定された設定温度差とを比較する上下温度差比較手段５２とを設けた点である。
【０１３７】
なお、実施例１と同一符号の部分は同一構成を有し、説明は省略する。
【０１３８】
次に動作、作用を説明する。
【０１３９】
暖房運転を開始すると、温度差演算器５０は、第一の温度検出手段４８から得られた床面付近温度と、第二の温度検出手段４９から得られた天井付近温度との温度差を演算する。さらに、この演算された温度差と、上下温度差設定手段５１で設定された上下温度差とを、上下温度差比較手段５２は比較する。そして、前記演算された温度差が、前記設定された上下温度差よりも小さければ、下吹き出し状態になるように、制御手段１９は吹き出し口の切り換えを行う。すなわち、制御手段１９は、下部風向変更羽根１２ａを開き、上部風向変更羽根１２ｂを閉じ、さらに、遮蔽板１７で熱交換器バイパス用吸い込み口１５を閉じるように制御した後、下部送風機６ａが回転するように送風機駆動手段１４を制御することによって、下吹き出し状態を設定する。
【０１４０】
次に、室温が上昇し、前記演算された温度差が、前記設定された上下温度差よりも大きくなれば、上吹き出し状態になるように、制御手段１９は吹き出し口の切り換えを行う。すなわち、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。
【０１４１】
図３７は、横軸に暖房運転時間をとり、縦軸に上下温度差と送風手段６の回転数と室温および上下の吹き出し状態とをとって、暖房運転時間に対する上下の吹き出し状態を説明したものである。図３７において、運転開始後室温が低い場合には、暖房能力を大きくするために、送風手段の回転数（風量）を大きくして下吹き状態で暖房を行うので、部屋全体が均一な温度になり上下の温度差も小さい。
【０１４２】
そして、室温が上昇して設定された室内温度に近づくと、暖房能力を徐々に小さくするために、送風手段の回転数を徐々に小さくして風量を少なくしていくので、部屋の上下の温度差は逆に大きくなっていく。室温が上昇し、上下温度差が図３７に示す設定上下温度差以上になれば、上吹き出し状態で暖房を行う。このようにすれば、図３７に示す一点鎖線のように上下温度差は小さくなる。もし仮に、上下温度差が設定上下温度差以上になっても下吹き出し状態で暖房を行うと、図３７に点線で示すように部屋の上下の温度差は大きくなっていく。
【０１４３】
（実施例２０）
図３８は本発明の実施例２０の下吹き出し状態の温風暖房機を示す構成図、図３９は同温風暖房機の時間に対する床面温度の変化と吹き出し口切り換え状態を説明する説明図である。本実施例２０において、実施例１と異なる点は、暖房運転開始からの時間を積算するタイマ５３と、予め設定された設定時間を記憶している時間記憶部５４と、前記タイマ５３から得られた積算時間と前記時間記憶部５４で設定された設定時間とを比較する時間比較手段５５とを設けたことである。
【０１４４】
なお、実施例１と同一符号の部分は同一構成を有し、説明は省略する。
【０１４５】
次に動作、作用を説明する。
【０１４６】
暖房運転を開始すると、タイマ５３は運転時間を積算する。さらに、所定の時間毎に、この積算時間と時間記憶部５４で設定された設定時間とを時間比較手段５５は比較する。そして、前記積算時間が前記設定時間よりも小さければ、下吹き出し状態になるように、制御手段１９は吹き出し口の切り換えを行う。すなわち、制御手段１９は、下部風向変更羽根１２ａを開き、上部風向変更羽根１２ｂを閉じ、さらに、遮蔽板１７で熱交換器バイパス用吸い込み口１５を閉じるように制御した後、下部送風機６ａが回転するように送風機駆動手段１４を制御することによって、下吹き出し状態を設定する。
【０１４７】
次に、前記積算時間が前記設定時間よりも大きくなれば、上吹き出し状態になるように、制御手段１９は吹き出し口の切り換えを行う。すなわち、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。
【０１４８】
図３９は、横軸に運転開始からの積算時間をとり、縦軸に室温と床面温度および上下の吹き出し状態とをとって、暖房運転時間に対する上下の吹き出し状態を説明したものである。図３９からわかるように、床面温度は室温に比べてゆっくりと上昇するので、図３７における設定時間を予め決めておけば、床面温度も十分上昇する。従って暖房運転時間が設定時間よりも小さければ（床面温度が低ければ）下吹き出し状態で暖房を行い、暖房運転時間が設定時間よりも大きくなれば（床面温度が高ければ）上吹き出し状態で暖房を行う。
【０１４９】
（実施例２１）
図４０（ａ）は本発明の実施例２１の下吹き出し状態の温風暖房機を示す構成図、図４０（ｂ）は同上吹き出し状態の温風暖房機を示す構成図である。
【０１５０】
本実施例２１において、実施例１と異なる点は、上または下吹き出し暖房の選択を行う上下吹き出し口切り換え選択スイッチ５６を設けた点である。
【０１５１】
なお、実施例１と同一符号の部分は同一構成を有し、説明は省略する。
【０１５２】
次に動作、作用を説明する。
【０１５３】
暖房運転をしている時に、上下吹き出し口切り換え選択スイッチ５６で下吹き出し暖房が選択されると、制御手段１９は吹き出し口の切り換えを行う。すなわち、制御手段１９は、下部風向変更羽根１２ａを開き、上部風向変更羽根１２ｂを閉じ、さらに、遮蔽板１７で熱交換器バイパス用吸い込み口１５を閉じるように制御した後、下部送風機６ａが回転するように送風機駆動手段１４を制御することによって、下吹き出し状態を設定する。
【０１５４】
次に、暖房運転をしている時に、上下吹き出し口切り換え選択スイッチ５６で上吹き出し暖房が選択されると、制御手段１９は吹き出し口の切り換えを行う。
【０１５５】
すなわち、制御手段１９は、下部風向変更羽根１２ａを閉じ、上部風向変更羽根１２ｂを開き、さらに、遮蔽板１７で熱交換器バイパス用吸い込み口１５を開くように制御した後、上部送風機６ｂが回転するように送風機駆動手段１４を制御することによって、上吹き出し状態を設定する。
【０１５６】
【発明の効果】
以上説明したように本発明の請求項１に係る温風暖房機は、下部に設けて前方に吹き出す下部吹き出し口と、上部に設けて上方に吹き出す上部吹き出し口と、前記下部吹き出し口と上部吹き出し口との間に位置する吸い込み口と、前記下部吹き出し口に設けた下部風向変更羽根と、前記上部吹き出し口に設けた上部風向変更羽根とを有す風回路と、前記吸い込み口に設けられた熱交換器と、送風機と、前記送風機を駆動する送風機駆動手段と、前記吸い込み口と前記上部吹き出し口との間に設けられた熱交換器バイパス用吸い込み口と、前記熱交換器バイパス用吸い込み口の開閉を行う熱交換器バイパス用吸い込み口開閉手段とを備え、暖房負荷の大小に応じて、前記送風機駆動手段と前記下部風向変更羽根と前記上部風向変更羽根と前記熱交換器バイパス用吸い込み口開閉手段とを制御する制御手段を設けているので、上部吹き出し口から吹き出した温風が、天井面に達して全体に広がり、さらに、壁面に沿って降下し床面に達した後、床面に沿って流れ、吸い込み口及び熱交換機バイパス用吸い込み口から吸い込まれるため、部屋の上下温度差が小さく、気流が部屋全体に広がるので気流感、冷風感もなく、快適な居住空間を得ることができるという効果がある。
【０１５７】
また、請求項２に係る温風暖房機は、下吹き出し暖房を行う場合で、暖房負荷の大きい時には熱交換器バイパス用吸い込み口開閉手段で熱交換器バイパス用吸い込み口を閉じ、暖房負荷の小さい時には熱交換器バイパス用吸い込み口開閉手段で熱交換器バイパス用吸い込み口を開くように制御する制御手段を設けているので、暖房負荷の小さい時には、熱交換器バイパス用吸い込み口から吸い込まれた冷たい空気が熱交換器を通過してきた高温の空気を押さえ込むため、温風が部屋全体に広がるので、部屋の上下温度差が小さく快適な居住空間を得ることができる。
【０１５８】
また、請求項３に係る温風暖房機は、上吹き出し暖房を行う場合の能力制御時に、熱交換器バイパス用吸い込み口開閉手段で熱交換器バイパス用吸い込み口の開口面積を変化させるように制御する制御手段を設けているので、熱交換器バイパス用吸い込み口開閉手段で熱交換器を通過する風量を制御できるため、騒音の変動が少ない。
【０１５９】
また、請求項４に係る温風暖房機は、上吹き出し暖房を行う場合に室温が設定温度以上になれば、吸い込み口を閉じる吸い込み口開閉手段を設けているので、天井面付近に滞留している暖かい空気を床面に押し下げ、さらに、熱交換器バイパス用吸い込み口から吸い込まれるので、暖房停止時にも床面付近の温度が下がらず、快適な居住空間を得ることができる。
【０１６０】
また、請求項５に係る温風暖房機は、室温検知手段、室温設定手段、前記室温検知手段から得られた室温と前記室温設定手段で設定された設定温度とを比較する室温設定比較手段を有し、室温が設定温度近傍よりも低いときには下吹き出し口から温風を吹き出し、設定温度近傍では上吹き出し口から温風を吹き出すように吹き出し口の切り換えを制御する制御手段を有しているので、設定温度よりも室温が低いときには下吹き出し口から温風を吹き出し床面や壁面を十分暖めた後、上吹き出し口から温風を吹き出すため、部屋全体を上下温度差の少ない希望した室温に保つことができるという効果がある。
【０１６１】
また、請求項６に係る温風暖房機は、室温検知手段、室温設定手段、前記室温検知手段から得られた室温と前記室温設定手段で設定された設定温度とを比較する室温設定比較手段を有し、暖房の起動時に室温が設定温度よりも低いときには下吹き出し口から温風を吹き出し、室温設定手段で設定された設定温度による運転および停止を所定の回数行った後に、上吹き出し口から温風を吹き出すように吹き出し口の切り換えを制御する制御手段を有するので、暖房の起動時に室温が設定温度よりも低いときには下吹き出し口から温風を吹き出し、室温設定手段で設定された設定温度による運転および停止を所定の回数行った後に上吹き出し口から温風を吹き出すため、床面や壁面温度が十分暖かく、かつ、部屋全体を希望した室温に保つことができるという効果がある。
【０１６２】
また、請求項７に係る温風暖房機は、床温度検知手段、床温度設定手段、前記床温度検知手段から得られた床温度と前記床温度設定手段で設定された設定温度とを比較する床温度比較手段を有し、床温度が設定温度近傍よりも低いときには下吹き出し口から温風を吹き出し、設定温度近傍では上吹き出し口から温風を吹き出すように吹き出し口の切り換えを制御する制御手段を有しているので、床設定温度よりも床温度が低いときには下吹き出し口から温風を吹き出した後に上吹き出し口から温風を吹き出すため、床面が十分暖かく、かつ、部屋全体を希望した室温に保つことができるという効果がある。
【０１６３】
また、請求項８に係る温風暖房機は、床付近に設けられた第一の温度検出手段と、天井付近に設けられた第二の温度検出手段と、前記第一の温度検出手段と第二の温度検出手段から得られた温度差を演算する温度差演算器とを備え、さらに、演算された前記温度差が予め設定された設定温度差より大きい場合には下吹き出し口から温風を吹き出すように吹き出し口の切り換えを制御し、演算された前記温度差が予め設定された設定温度差より小さい場合には上吹き出し口から温風を吹き出すように吹き出し口の切り換えを制御する制御手段を有するので、下吹き出し口から温風を吹き出す暖房で室温が設定温度に近づき、風量を減少し、部屋の上下温度差が大きく（暖房負荷が小さい）なってから、上吹き出し口から温風を吹き出すため、上下温度差の少ない快適な部屋に保つことができるという効果がある。
【０１６４】
また、請求項９に係る温風暖房機は、暖房運転開始からの時間を積算するタイマと、前記タイマから得られた積算時間と予め設定された設定時間とを比較する時間比較手段とを備え、前記積算時間が前記設定時間以上になれば、上吹き出し口から温風を吹き出すように吹き出し口の切り換えを制御する制御手段を有するので、暖房の起動時の室温が低いときには、所定の時間、下吹き出し口から温風を吹き出した後に、上吹き出し口から温風を吹き出すため、床面や壁面を十分暖かく、かつ、部屋全体を希望した室温に保つことができるという効果がある。
【０１６５】
また、請求項１０に係る温風暖房機は、上下吹き出し口切り換え選択スイッチを有するので、急速に部屋を暖房したい時や直接温風に当たって採暖をしたい時には、温風暖房機の使用者は上下吹き出し口切り換え選択スイッチで下吹き出し暖房を選択すれば、部屋の温度は速く上昇するし、また、直に体に温風を当てて暖まることができる。逆に、気流感が気になり、温風に当たりたくない時や部屋全体を均一に暖めたい時には、温風暖房機の使用者は上下吹き出し口切り換え選択スイッチで上吹き出し暖房を選択すれば、部屋の上下温度差が小さく、気流が部屋全体に広がるので気流感、冷風感もなく、快適な居住空間を得ることができるという効果がある。
【図面の簡単な説明】
【図１】
（ａ）本発明の実施例１における温風暖房機の下吹き出し状態を示す構成図
（ｂ）同温風暖房機の上吹き出し状態を示す構成図
【図２】
同温風暖房機の上吹き出し風量に対する上下温度差を示す説明図
【図３】
同温風暖房機の風量に対する熱交換器能力を示す説明図
【図４】
同温風暖房機の気流説明図
【図５】
同温風暖房機の垂直温度分布説明図
【図６】
（ａ）本発明の実施例２における温風暖房機の暖房負荷の大きい場合の下吹き出し状態を示す構成図
（ｂ）同温風暖房機の暖房負荷の小さい場合の下吹き出し状態を示す構成図
【図７】
本発明の実施例３における温風暖房機の上吹き出し状態を示す構成図
【図８】
同温風暖房機の熱交換器バイパス用吸い込み口の開口面積の変化に対する風量変化を示す説明図
【図９】
本発明の実施例４における温風暖房機の上吹き出し状態を示す構成図
【図１０】
同温風暖房機の気流説明図
【図１１】
同温風暖房機の他の実施例を示す構成図
【図１２】
（ａ）本発明の実施例５における温風暖房機の下吹き出し状態を示す構成図
（ｂ）同温風暖房機の上吹き出し状態を示す構成図
【図１３】
同温風暖房機の室温に対する吹き出し口切り換え状態を説明する説明図
【図１４】
（ａ）本発明の実施例６における温風暖房機の下吹き出し状態を示す構成図
（ｂ）同温風暖房機の上吹き出し状態を示す構成図
【図１５】
（ａ）本発明の実施例７における温風暖房機の下吹き出し状態を示す構成図
（ｂ）同温風暖房機の上吹き出し状態を示す構成図
【図１６】
同温風暖房機の吹き出し温度と吸い込み温度との関係を説明する説明図
【図１７】
（ａ）本発明の実施例８における温風暖房機の下吹き出し状態を示す構成図
（ｂ）同温風暖房機の上吹き出し状態を示す構成図
【図１８】
同温風暖房機の出口水温と吸い込み温度との関係を説明する説明図
【図１９】
（ａ）本発明の実施例９における温風暖房機の下吹き出し状態を示す構成図
（ｂ）同温風暖房機の上吹き出し状態を示す構成図
【図２０】
同温風暖房機の室温と床面温度の時間変化を説明する説明図
【図２１】
（ａ）本発明の実施例１０における温風暖房機の下吹き出し状態を示す構成図
（ｂ）同温風暖房機の上吹き出し状態を示す構成図
【図２２】
（ａ）本発明の実施例１１における温風暖房機の下吹き出し状態を示す構成図
（ｂ）同温風暖房機の上吹き出し状態を示す構成図
【図２３】
（ａ）本発明の実施例１２における温風暖房機の下吹き出し状態を示す構成図
（ｂ）同温風暖房機の上吹き出し状態を示す構成図
【図２４】
（ａ）本発明の実施例１３における温風暖房機の下吹き出し状態を示す構成図
（ｂ）同温風暖房機の上吹き出し状態を示す構成図
【図２５】
同温風暖房機の輻射温度に対する吹き出し状態を示す説明図
【図２６】
（ａ）本発明の実施例１４における温風暖房機の下吹き出し状態を示す構成図
（ｂ）同温風暖房機の上吹き出し状態を示す構成図
【図２７】
同温風暖房機の壁温度に対する吹き出し状態を示す説明図
【図２８】
（ａ）本発明の実施例１５における温風暖房機の下吹き出し状態を示す構成図
（ｂ）同温風暖房機の上吹き出し状態を示す構成図
【図２９】
同温風暖房機の床温度に対する吹き出し状態を示す説明図
【図３０】
（ａ）本発明の実施例１６における温風暖房機の下吹き出し状態を示す構成図
（ｂ）同温風暖房機の上吹き出し状態を示す構成図
【図３１】
同温風暖房機の暖房負荷に対する吹き出し状態を示す説明図
【図３２】
（ａ）本発明の実施例１７における温風暖房機の下吹き出し状態を示す構成図
（ｂ）同温風暖房機の上吹き出し状態を示す構成図
【図３３】
同温風暖房機の吹き出しと吸い込みの温度差と暖房負荷との関係を示す説明図
【図３４】
（ａ）本発明の実施例１８における温風暖房機の下吹き出し状態を示す構成図
（ｂ）同温風暖房機の上吹き出し状態を示す構成図
【図３５】
同温風暖房機の入口と出口水温の温度差と暖房負荷との関係を示す説明図
【図３６】
本発明の実施例１９における温風暖房機の下吹き出し状態を示す構成図
【図３７】
同温風暖房機の暖房運転時間に対する室温と上下温度差の変化を示す説明図
【図３８】
本発明の実施例２０における温風暖房機の下吹き出し状態を示す構成図
【図３９】
同温風暖房機の暖房時間に対する室温と床面温度の変化を示す説明図
【図４０】
（ａ）本発明の実施例２１における温風暖房機の下吹き出し状態を示す構成図
（ｂ）同温風暖房機の上吹き出し状態を示す構成図
【図４１】
第一の従来例における温風暖房機の構成図
【図４２】
第二の従来例における温風暖房機の構成図
【図４３】
第一の従来例における温風暖房機の温度分布説明用の部屋の斜視図
【図４４】
同温風暖房機の吹き出し温度の分布説明図
【図４５】
同温風暖房機の垂直温度分布説明図
【符号の説明】
５  熱交換器
６  送風機
９  吸い込み口
１０ａ  下部吹き出し口
１０ｂ  上部吹き出し口
１２ａ  下部風向変更羽根
１２ｂ  上部風向変更羽根
１４    送風機駆動手段
１５  熱交換器バイパス用吸い込み口
１６  熱交換器バイパス用吸い込み口開閉手段
１９  制御手段
２３  室温検知手段
２４  室温設定手段
２５  設定温度比較手段 
３２  輻射温度検知手段
３３  輻射温度設定手段
３４  輻射温度比較手段
３８  床温度検知手段
３９  床温度設定手段
４０  床温度比較手段   
４８  第一の温度検出手段
４９  第二の温度検出手段
５０  温度差演算器
５３  タイマ
５５  時間比較手段
５６  上下吹き出し口切り換え選択スイッチ